(57)【特許請求の範囲】
【請求項１】
目地間隙を介して縦横に配列された複数のタイルが一体的に連結されてなるタイルシートであって、
前記配列された複数のタイルは、各タイルの裏面に紫外線硬化性接着剤によって接着された長尺薄膜状の可撓性連結片により相互に連結されており、
前記可撓性連結片は、長尺薄膜状の連結ベース材を、長手方向に沿って分断してなるものであって、ポリエチレンテレフタレートからなる合成樹脂製シートを基材とし、所定間隔をおいて略平行に設けられた二条の長尺帯部と、該長尺帯部間に差し渡され、該長尺帯部の長手方向で所定間隔をおいて設けられた複数の短尺連成部と、隣合う短尺連成部間に形成された複数の開口部とを備え、各長尺帯部が、縦方向又は横方向に沿って二列に配列された複数のタイルを各列毎に夫々連結すると共に、各短尺連成部が、前記各長尺帯部により夫々連結される隣合う二列のタイル同士を夫々連結するものであり、
さらに前記可撓性連結片は、合成樹脂製シートの裏面に不織布が貼付された積層構造により構成され、該裏面側が不織布を介して紫外線硬化性接着剤によりタイルに接着されるものであることを特徴とするタイルシート。
【請求項２】
目地間隙を介して縦横に配列された複数のタイルが一体的に連結されてなるタイルシートであって、
前記配列された複数のタイルは、各タイルの裏面に紫外線硬化性接着剤によって接着された長尺薄膜状の可撓性連結片により相互に連結されており、
前記可撓性連結片は、長尺薄膜状の連結ベース材を、長手方向に沿って分断してなるものであって、ポリエチレンテレフタレートからなる合成樹脂製シートを基材とし、所定間隔をおいて略平行に設けられた二条の長尺帯部と、該長尺帯部間に差し渡され、該長尺帯部の長手方向で所定間隔をおいて設けられた複数の短尺連成部と、隣合う短尺連成部間に形成された複数の開口部とを備え、各長尺帯部が、縦方向又は横方向に沿って二列に配列された複数のタイルを各列毎に夫々連結すると共に、各短尺連成部が、前記各長尺帯部により夫々連結される隣合う二列のタイル同士を夫々連結するものであり、
さらに前記可撓性連結片は、合成樹脂製シートの裏面に、合成樹脂製シートよりも紫外線硬化性接着剤との接着性が高い易接着性樹脂が薄膜状に形成された積層構造により構成され、該裏面側が易接着性樹脂を介して紫外線硬化性接着剤により接着されるものであることを特徴とするタイルシート。
【請求項３】
目地間隙を介して縦横に配列された複数のタイルが一体的に連結されてなる請求項１または請求項２のタイルシートの製造方法であって、
複数のタイルを目地間隙を介して縦横に配列する配列工程と、
該配列された複数のタイルを架け渡すように、該タイルの裏面に、紫外線硬化性接着剤を介して長尺薄膜状の可撓性連結片を配置する配置工程と、
前記接着剤を硬化させて、可撓性連結片を各タイルの裏面に夫々接着する接着工程と
を備え、
前記可撓性連結片は、ポリエチレンテレフタレートからなる合成樹脂製シートを基材とするものであって、所定間隔をおいて平行に設けられた二条の長尺帯部と、該長尺帯部間に差し渡され、該長尺帯部の長手方向で所定間隔をおいて設けられた複数の短尺連成部と、隣合う短尺連成部間に形成された複数の開口部とを備えてなり、前記配置工程で、各長尺帯部が、縦方向又は横方向に沿って二列に配列された複数のタイルを夫々架け渡すように配置され、且つ各短尺連成部が、各長尺帯部が架け渡す隣合う二列のタイル同士を夫々架け渡すように配置されるものであることを特徴とするタイルシートの製造方法。
【請求項４】
可撓性連結片と、タイルシートの両側縁で複数のタイルを夫々連結する両側の最外連結片とが一体化されてなる長尺薄膜状の連結ベース材を、該可撓性連結片の形成部位に複数の開口部を間欠的に形成し、長手方向に沿って分断し、
該分断により形成された可撓性連結片と最外連結片とを、配置工程で、縦横に配列した複数のタイルの裏面に、接着剤を介して配置するようにしていることを特徴とする請求項３に記載のタイルシートの製造方法。
【発明の詳細な説明】
【技術分野】
【０００１】
本発明は、複数のタイルをシート状に連結してなるタイルシート及び該タイルシートの製造方法に関する。
【背景技術】
【０００２】
従来、外装タイルの施工性向上を目的として、複数のタイルをシート状に連結してなるタイルシートが用いられている。こうしたタイルシートは、各タイルが目地間隙を介して縦横に配列されており、接着モルタルを介して建築物壁面に接着し、目地間隙にモルタルを埋め込むことで、複数のタイルを一度に貼り付けることができる。従来、この種のタイルシートとしては、タイル表面に澱粉糊で貼り付けた紙によってタイル同士を連結したものが提供されていた。しかしながら、従来のタイルシートでは、該タイルシートを建築物壁面に接着した後に、タイルの表面に水をかけて紙をはがす作業が必要な上、はがした紙が大量の廃棄物となる。また、かかるタイルシートは高湿度条件下で放置されたり、雨などで水に濡れたりすれば、紙から簡単に剥離してしまうため、ダンボールカートンに梱包し、雨に当たらないように現場に搬入されており、使用後は、タイルに貼り付けた紙のみならず、包装に使用されたダンボールカートンもごみとして現場で大量に発生してしまう。このため、かかるタイルシートは、その改善が現場から強く求められていた。
【０００３】
そこで、縦横に配列された複数のタイルを、紫外線硬化性接着剤を介して不織布で連結されたタイルシートが提案されている（例えば、特許文献１）。具体的には、目地間隙を介して縦横に複数にタイルを配置し、該タイルの裏面に、複数の不織布を目地間隙を架け渡すように夫々配置し、各タイルの裏面と該不織布とを紫外線硬化性接着剤により接着することにより、複数のタイルを一体的に連結されたものである。こうしたタイルシートは、建築物壁面に接着した後に目地にモルタルを埋め込んで仕上げをすることができ、施工現場で廃棄物が少なく、施工性が大幅に改善される。
【先行技術文献】
【特許文献】
【０００４】
【特許文献１】特開２０１１−４７１５３号公報
【発明の概要】
【発明が解決しようとする課題】
【０００５】
ところで、上述した従来の、不織布により複数のタイルを連結してなるタイルシートは、比較的柔軟で延伸し易い不織布によって隣合うタイル同士を連結したものであることから、運搬や施工の際に、タイル重量によって各タイルの縦横配置がズレてしまい、縦横の目地間隙が不均一となる虞がある。特に、タイルシートを建築物壁面に貼り付ける際には、該タイルシートの上部を持って作業することから、各タイルの重量を支える不織布が延伸してしまい易く、目地間隙が不均一となり易い。そして、仮に目地間隙が不均一となると、これを修正する作業が必要であるため、施工作業が繁雑化してしまう。
【０００６】
また、不織布により連結してなる従来のタイルシートは、隣合うタイル同士を所定サイズの不織布で連結することから、該不織布が多数必要である。そのため、タイルシートを製造する工程にあって、縦横に配列した複数のタイルに不織布を配置する際に、手間が掛かり、製造コストの削減に限界が生じていた。
【０００７】
本発明は、上述した問題点の解決を試みたものであり、縦横に配列されたタイルの目地間隙を保つことができ、建築物壁面への貼り付け作業を容易に行い得るタイルシートおよび該タイルシートの製造方法を提供することを目的とする。
【課題を解決するための手段】
【０００８】
本発明は、目地間隙を介して縦横に配列された複数のタイルが一体的に連結されてなるタイルシートであって、前記配列された複数のタイルは、各タイルの裏面に所定の接着剤によって接着された長尺薄膜状の可撓性連結片により相互に連結されており、前記可撓性連結片は、合成樹脂製シートを基材とするものであって、所定間隔をおいて略平行に設けられた二条の長尺帯部と、該長尺帯部間に差し渡され、該長尺帯部の長手方向で所定間隔をおいて設けられた複数の短尺連成部と、隣合う短尺連成部間に形成された複数の開口部とを備え、各長尺帯部が、縦方向又は横方向に沿って二列に配列された複数のタイルを各列毎に夫々連結すると共に、各短尺連成部が、前記各長尺帯部により夫々連結される隣合う二列のタイル同士を夫々連結するものであることを特徴とするタイルシートである。
【０００９】
ここで、合成樹脂製シートとしては、例えば、ポリエチレン、ポリプロピレン、ポリアミド（ナイロン）、ポリエチレンテレフタレート、ポリスチレン、ポリ塩化ビニル、ポリカーボネイト、アクリル樹脂などのシートを適用できる。また、接着剤としては、紫外線硬化性接着剤、ホットメルト接着剤、加熱硬化型接着剤、アクリルポリマー、酢酸ビニルエチル、エチレン−酢酸ビニルコポリマー、スチレン−ブラジエンコポリマー、アクリルニトリル−ブタジエンコポリマー等の溶剤型接着剤やエマルジョン型接着剤を適用できる。特に、製造工程での作業性や効率化に寄与する紫外線硬化性接着剤が好適に用いられる。
【００１０】
かかる構成は、合成樹脂製シートを基材とする可撓性連結片によって、縦方向または横方向に二列で配列された複数のタイルを夫々連結するものであり、該可撓性連結片が該合成樹脂製シートにより比較的延伸し難く且つ比較的高い強度を有することから、連結されたタイルがズレ難く、所望の目地間隙を保つことができる。これにより、タイルシートを、その目地間隙を保持したまま、建築物壁面に容易かつ安定して貼り付けることができる。そのため、上述した従来構成のように目地間隙が不均一になることによって必要となる修正作業を、本発明の構成では要せず、該修正作業に伴う施工作業の繁雑化を抑制できる。
【００１１】
可撓性連結片は、長尺帯部により縦方向又は横方向に配列した複数のタイルを連結し、短尺連成部により二列のタイルを連結するようにしたものであり、さらに開口部が形成されていることから、各タイル間の目地間隙には、表裏方向に貫通する領域と該可撓性連結片によって貫通しない領域とが存在する。そして、目地間隙における表裏方向の貫通領域では、タイルシートを建築物壁面に貼り付けた状態で、該壁面が露出することから、目地間隙にモルタルなどを埋め込んだ場合に、該モルタルが該壁面と直接的に接合される。一方、こうした目地間隙にモルタルを埋め込まない場合も少数ではあるが存在し、この場合には、目地間隙の一部分で可撓性連結片が露出するものの、前記開口部を比較的大きく形成することによって該可撓性連結片の露出部位を少なくでき、該可撓性連結片を目立ち難くできるという利点も有する。
【００１２】
また、一枚の可撓性連結片で、縦方向又は横方向に二列で配列した複数のタイルを連結できる。そのため、上述した不織布により連結する従来構成に比して、該タイルを連結する製造作業の作業性を向上することができる。
【００１３】
また、合成樹脂製シートには、その裏面に所定の表面処理を施し、該裏面を改質して接着剤との接着性を高めたものが、好適に用いられる。具体的には、合成樹脂製シートの裏面を、所定の表面処理により適当に粗すことによって、接着剤との接着性を高めることがあり得る。尚、このように接着性を高めるために改質する表面処理としては、例えば、コロナ放電処理が好適に用いられる。
【００１４】
上述した本発明のタイルシートにあって、可撓性連結片は、合成樹脂製シートの裏面に不織布が貼付された積層構造により構成され、該不織布が接着剤を介してタイルに接着されるものである構成が提案される。
【００１５】
ここで、不織布は、一般的に合成樹脂製シートに比して接着剤との接着性が良いことから、かかる本構成によれば、可撓性連結片により複数のタイルを比較的しっかりと且つ安定して連結することができる。
【００１６】
上述した本発明のタイルシートにあって、可撓性連結片は、合成樹脂製シートの裏面に紙が貼付された積層構造により構成され、該紙が接着剤を介してタイルに接着されるものである構成が提案される。
【００１７】
かかる構成にあっても、紙と接着剤との接着性が良いことから、可撓性連結片により複数のタイルを比較的しっかりと且つ安定して連結できる。
【００１８】
上述した本発明のタイルシートにあって、可撓性連結片は、合成樹脂製シートよりも接着剤との接着性が高い易接着性樹脂が、該合成樹脂製シートの裏面に薄膜状に形成された積層構造により構成され、該裏面側が接着剤を介してタイルに接着されるものである構成が提案される。ここで、易接着性樹脂としては、例えば、ウレタン樹脂、ポリエステル、ポリアミド（ナイロン）等の合成樹脂が好適に用いられる。そして、易接着性樹脂を薄膜状に形成することとしては、フィルム状の易接着性樹脂を熱融着などにより貼り付けたり、液体状の易接着性樹脂を塗布したりすることによって実施できる。
【００１９】
かかる構成にあっては、易接着性樹脂により、接着剤を介してタイルと比較的良好に接着できることから、可撓性連結片により複数のタイルを比較的しっかりと且つ安定して連結可能である。
【００２０】
また、本発明は、目地間隙を介して縦横に配列された複数のタイルが一体的に連結されてなるタイルシートであって、前記配列された複数のタイルは、各タイルの裏面に所定の接着剤によって接着された長尺薄膜状の可撓性連結片により相互に連結されており、前記可撓性連結片は、不織布に合成樹脂が含浸された樹脂含浸シートからなるものであって、所定間隔をおいて略平行に設けられた二条の長尺帯部と、該長尺帯部間に差し渡され、該長尺帯部の長手方向で所定間隔をおいて設けられた複数の短尺連成部と、隣合う短尺連成部間に形成された複数の開口部とを備え、各長尺帯部が、縦方向又は横方向に沿って二列に配列された複数のタイルを各列毎に夫々連結すると共に、各短尺連成部が、前記各長尺帯部により夫々連結される隣合う二列のタイル同士を夫々連結するものであることを特徴とするタイルシートである。
【００２１】
ここで、不織布に含浸される合成樹脂としては、例えば、ポリエチレン、ポリプロピレン、ポリアミド（ナイロン）、ポリエチレンテレフタレート、ポリスチレン、ポリ塩化ビニル、ポリカーボネイト、アクリル樹脂などを適用できる。また、接着剤としては、上述した合成樹脂製シートを用いた構成と同様に、紫外線硬化性接着剤、ホットメルト接着剤、加熱硬化型接着剤、アクリルポリマー、酢酸ビニルエチル、エチレン−酢酸ビニルコポリマー、スチレン−ブラジエンコポリマー、アクリルニトリル−ブタジエンコポリマー等の溶剤型接着剤やエマルジョン型接着剤を適用できる。特に、製造工程での作業性や効率化に寄与する紫外線硬化性接着剤が好適に用いられる。
【００２２】
かかる構成は、不織布に合成樹脂が含浸された樹脂含浸シートからなる可撓性連結片によって、複数のタイルを連結するものであり、該樹脂含浸シートが比較的延伸し難く且つ比較的高い強度を有することから、連結されたタイルがズレ難く、所望の目地間隙を保つことができる。これにより、樹脂含浸シートからなる可撓性連結片を用いた本構成にあっても、上述した合成樹脂製シートを基材とする構成と同様の作用効果を奏し得る。
【００２３】
一方、本発明は、目地間隙を介して縦横に配列された複数のタイルが一体的に連結されてなるタイルシートの製造方法であって、複数のタイルを目地間隙を介して縦横に配列する配列工程と、該配列された複数のタイルを架け渡すように、該タイルの裏面に、所定の接着剤を介して長尺薄膜状の可撓性連結片を配置する配置工程と、前記接着剤を硬化させて、可撓性連結片を各タイルの裏面に夫々接着する接着工程とを備え、前記可撓性連結片は、合成樹脂製シートを基材とするもの又は不織布に合成樹脂が含浸された樹脂含浸シートからなるものであって、所定間隔をおいて平行に設けられた二条の長尺帯部と、該長尺帯部間に差し渡され、該長尺帯部の長手方向で所定間隔をおいて設けられた複数の短尺連成部と、隣合う短尺連成部間に形成された複数の開口部とを備えてなり、前記配置工程で、各長尺帯部が、縦方向又は横方向に沿って二列に配列された複数のタイルを夫々架け渡すように配置され、且つ各短尺連成部が、各長尺帯部が架け渡す隣合う二列のタイル同士を夫々架け渡すように配置されるものであることを特徴とするタイルシートの製造方法である。
【００２４】
かかる製造方法によれば、上述した本発明のタイルシートを製造することができ、製造した該タイルシートが上述した本発明の作用効果を奏し得る。そして、可撓性連結片を、縦横に配列した複数のタイルを架け渡すように配置して、該タイルを連結することから、目地間隙を介して複数のタイルを配列してなるタイルシートを、容易かつ安定して製造することができる。これにより、本発明の製造方法は、上述した不織布により連結する従来構成の製造に比して、製造工程に要する作業性を向上できるから、製造コストを大幅に低減することが可能である。
【００２５】
上述した本発明のタイルシートの製造方法にあって、タイルシートの両側縁で複数のタイルを夫々連結する両側の最外連結片と、可撓性連結片とが一体化されてなる長尺薄膜状の連結ベース材を、該可撓性連結片の形成部位に複数の開口部を形成し、長手方向に沿って分断し、該分断により形成された可撓性連結片と最外連結片とを、配置工程で、縦横に配列した複数のタイルの裏面に、接着剤を介して配置するようにした製造方法が提案される。
【００２６】
かかる製造方法によれば、タイルシートの製造工程で、連結ベース材を分断して可撓性連結片および最外連結片を形成するところから、縦横に配列した複数のタイルに該可撓性連結片と最外連結片とを配置するまでの一連の流れを、一層容易かつ安定して実施することができる。そして、こうした工程の作業性を一層向上することができる。したがって、製造コストを低減するという上述した本発明の作用効果が一層向上する。
【発明の効果】
【００２７】
本発明のタイルシートは、上述したように、二条の長尺帯部と複数の短尺連成部と複数の開口部とを備えた可撓性連結片によって、縦横に配列した複数のタイルを連結してなるものであるから、合成樹脂製シートを基材する該可撓性連結片により、各タイルの目地間隙を安定して保つことができるため、建築物壁面への貼り付け作業を容易かつ安定して実施できる。また、不織布に合成樹脂が含浸された樹脂含浸シートからなる可動性連結片を用いた構成にあっても、同様の作用効果を奏する。
【００２８】
一方、本発明のタイルシートの製造方法によれば、上述した本発明のタイルシートを容易かつ安定して製造することができる。
【図面の簡単な説明】
【００２９】
【図１】本発明にかかるタイルシート１の裏面図である。
【図２】図１中のＰ−Ｐ断面図である。
【図３】図２中のＬ部拡大図である。
【図４】可撓性連結片５の平面図である。
【図５】タイルシート１の製造工程を示す説明図である。
【図６】上記の製造工程を構成する配置工程を示す説明図である。
【図７】別例のタイルシート１の縦断面の部分拡大図である。
【発明を実施するための形態】
【００３０】
本発明にかかる実施例を、添付図面を用いて説明する。
図１〜３に、タイルシート１を示す。タイルシート１は、目地間隙４を介して縦横に配列された複数のタイル２が、可撓性連結片５および最外連結片６によって相互に連結されてなるものである。そして、可撓性連結片５および最外連結片６は、各タイル２の裏面に所定の接着剤１９によって接着されている。
【００３１】
ここで、本実施例にあって、タイルシート１は、１８個の４５二丁掛タイル２を縦横に配置して、約３００×３００ｍｍの矩形状に形成されたものである。詳述すると、各タイル２を、その長辺を縦方向かつ短辺を横方向として、横方向に一列に６個列べ、さらに、この横方向一列のタイル列群９を、縦方向に平行に３列配置し、前記タイルシート１を構成する。そして、縦横で隣合うタイル２間の目地間隙４が約５ｍｍとなるように、各タイル２が配列されている。尚、こうしたタイルシート１を構成するタイルの数やサイズは様々に変更可能であり、製品仕様に合わせて適宜設定することができる。
【００３２】
そして、このように縦横に複数のタイル２を配置した状態で、横方向に沿った上列、中列、下列の３列のタイル列群９の、該上列と中列との列群間および該中列と下列との列群間に、横方向に沿って上記の可撓性連結片５，５が夫々配される。さらに、上列および下列には、該上列の上側縁と該下列の下側縁に、横方向に沿って上記の最外連結片６，６が夫々配される。こうして配された可撓性連結片５，５および最外連結片６，６が各タイル２の裏面に夫々接着されることによって、縦横に配置した１８個の該タイル２が夫々連結されて、タイルシート１が形成される。
【００３３】
尚、可撓性連結片５および最外連結片６は、薄膜状の合成樹脂製シート１１を基材とするものであって、該合成樹脂製シート１１の裏面に不織布１２が貼付された積層構造からなる。ここで、合成樹脂製シート１１と不織布１２とは、熱融着により接着され、又は薄膜状に形成した接着剤を介して接着されること等によって、可撓性連結片５や最外連結片６を構成している。尚、薄膜状に接着剤を形成することには、該接着剤をフィルム状に形成することや、該接着剤を塗布して形成すること等が適用できる。こうした合成樹脂製シート１１としては、ポリエチレン、ポリプロピレン、ポリアミド（ナイロン）、ポリエチレンテレフタラート、ポリスチレン、ポリ塩化ビニル、アクリル樹脂などのシートを適用できる。そして、可撓性連結片５および最外連結片６は、合成樹脂製シート１１によって比較的延伸し難く且つ比較的高い強度を発揮できる。
【００３４】
上記の可撓性連結片５は、図４のように、細長い帯状の長尺帯部１５，１５が二条、所定の一定間隔をおいて略平行に設けられ、該長尺帯部１５，１５間に複数の短尺連成部１６が差し渡されて構成されている。そして、短尺連成部１６が長手方向で所定間隔をおいて設けられ、互いに隣合う短尺連成部１６，１６間に複数の開口部１７が形成されている。ここで、二条の長尺帯部１５，１５は、その間隔が上記の目地間隙４よりも若干長い寸法に設定されており、図１のように、該目地間隙４を介して隣合う二列のタイル列群９，９の、互いに対向する夫々の側縁に配される。すなわち、長尺帯部１５は、タイル列群９を構成する６個のタイル２の、各短辺縁の裏面に、横方向に沿って架け渡される。また、複数の短尺連成部１６は、前記のように長手方向で所定間隔をおいて設けられており、当該間隔として、目地間隙４よりも若干長い間隔と、タイル２の短辺よりも若干短い間隔とが交互に設定されている。そして、各短尺連成部１６は、隣合う二列のタイル列群９，９間の目地間隙を横断するように配される。すなわち、短尺連成部１６は、隣合う二列のタイル列群９，９の、横方向の目地間隔４を介して隣合うタイル２，２同士に、夫々架け渡される。このように一の可撓性連結片５が、隣合う二列のタイル列群９，９間の目地間隙４に沿って配され、該二列のタイル列群９，９を構成する１２個のタイル２の裏面に夫々接着されて、該１２個のタイル２を連結する。
【００３５】
また、上記の最外連結片６は、細長い帯状に形成され、上述したように、上列のタイル列群９の上側縁と下列のタイル列群９の下側縁とに夫々配される。すなわち、上列のタイル列群９を構成する６個のタイル２の、前記上側縁を形成する各短辺縁の裏面に、横方向に沿って架け渡される。同様に、下列のタイル列群９を構成する６個のタイル２の、前記下側縁を形成する各短辺縁の裏面に、横方向に沿って架け渡される。このように上下両サイドに夫々配された最外連結片６，６が、上列と下列のタイル列群９，９に夫々接着されることによって、上述したように可撓性連結片５，５により連結された１８個のタイル２からなるタイルシート１を、その上下の側縁でさらに連結する。
【００３６】
こうした可撓性連結片５および最外連結片６をタイル２の裏面に接着する接着剤１９には、紫外線硬化性接着剤、ホットメルト接着剤、加熱硬化型接着剤、アクリルポリマー、酢酸ビニルエチル、エチレン−酢酸ビニルコポリマー、スチレン−ブラジエンコポリマー、アクリルニトリル−ブタジエンコポリマー等の溶剤型接着剤やエマルジョン型接着剤を適用できる。なかでも、生産性を考慮して、本実施例では、紫外線に反応して液体から固体に硬化する紫外線硬化性接着剤を用いている。この紫外線硬化性接着剤１９は、光硬化性成分と光重合反応開始剤を必須成分とする一般的なものを適用できるため、その詳細については省略する。
【００３７】
上述したように、本実施例のタイルシート１は、縦横に配列した複数のタイル２を、可撓性連結片５，５と最外連結片６，６とによって連結されて一体化されたものであるから、建築物壁面に貼り付ける施工現場などで、連結された各タイル２がズレ難く、所望の目地間隙４が安定して保たれ得る。そのため、施工現場で、タイルシート１を建築物壁面に容易かつ安定して貼り付けることができる。これは、可撓性連結片５および最外連結片６の基材である合成樹脂製シート１１が、タイル２の重量等によって延伸してしまうことを抑制できること及びタイル２の重量を支える十分な強度を有していることに因る。このようにタイルシート１の目地間隙４を保持できることにより、上述した従来構成で目地間隙が不均一となることによって必要となる修正作業を、本実施例のタイルシート１では要せず、該修正作業に伴う施工作業の繁雑化を抑制できる。
【００３８】
さらに、可撓性連結片５および最外連結片６は、合成樹脂製シート１１の裏面に不織布１２が貼付された構成であり、該不織布１２をタイル２の裏面に接着剤を介して接着していることから、該タイル２に安定かつ容易に接着することができる。そして、接着した状態を、比較的長期に亘って保持できる。これは、不織布１２が接着剤（紫外線硬化性接着剤、ホットメルト接着剤、加熱硬化型接着剤、アクリルポリマー、酢酸ビニルエチル、エチレン−酢酸ビニルコポリマー、スチレン−ブラジエンコポリマー、アクリルニトリル−ブタジエンコポリマー等の溶剤型接着剤やエマルジョン型接着剤）と比較的接着性が良いことに因る。
【００３９】
また、可撓性連結片５は、隣合う短尺連成部１６，１６間に開口部１７が形成されたものであることから、タイルシート１は、隣合う二列のタイル列群９，９の目地間隙４で、該開口部１７による表裏に貫通する領域と短尺連成部１６による非貫通領域とが存在する。この貫通領域では、タイルシート１を建築物壁面に貼り付けた状態で、該建築物壁面が露出することから、目地間隙４にモルタル等を埋め込んだ場合に、該モルタルが該建築物壁面と直接的に接合される。これにより、モルタルと建築物壁面との接合性を向上でき、タイルシート１を該建築物壁面に貼り付けた状態で一層安定して保持できる。一方、目地間隙４にモルタル等を埋め込まない場合にあっては、開口部１７によって目地間隙４で露出する短尺連成部１６の露出部位（前記の非貫通領域）が比較的少なくなることから、該露出部位を目立ち難くできる。尚、可撓性連結片および最外連結片を、建築物壁面と同系色とすることによって、目地間隙４にモルタルを埋め込まない場合に、一層目立ち難くすることができる。
【００４０】
一方、図５は、上述した本実施例のタイルシート１を製造する工程の一例を示したものである。ここで、製造工程は、主に、複数（１８個）のタイル２を縦横に配列する配列工程（図５（ａ））と、配列したタイル２の裏面に可撓性連結片５，５および最外連結片６，６を配置する配置工程（図５（ｂ））と、該可撓性連結片５，５および最外連結片６，６と各タイル２とを接着する接着工程（図５（ｃ））とを備える。
【００４１】
配列工程では、図５（ａ）のように、６個のタイル２を目地間隙４を介して横方向に一列に列べたタイル列群９を、該目地間隙４を介して縦方向で上列、中列、下列の３列に並べることによって、１８個のタイル２を縦横に配列する。さらに、配列工程では、タイル２の裏面を上にして配列し、該裏面の所定箇所に、紫外線硬化性接着剤１９を塗布する。
【００４２】
次の配置工程では、図５（ｂ）のように、上列と中列とのタイル列群９，９間の目地間隙４および中列と下列とのタイル列群９，９間の目地間隙４に沿って、各タイル２の裏面上に可撓性連結片５，５を夫々配する。これにより、上列と中列とのタイル列群９，９では、可撓性連結片５の二条の長尺帯部１５，１５が、上列のタイル列群９を構成する６個のタイル２の各下辺縁と、中列のタイル列群９を構成する６個のタイル２の各上辺縁とに、夫々架け渡される。そして、複数の短尺連成部１６が、上列と中列とのタイル列群９，９の、縦方向で互いに対向するタイル２，２同士に、夫々架け渡される。同様に、中列と下列とのタイル列群９，９でも、二条の長尺帯部１５，１５が、中列のタイル列群９を構成する６個のタイル２の各下辺縁と、下列のタイル列群９を構成する６個のタイル２の各上辺縁とに、夫々架け渡される。そして、複数の短尺連成部１６が、中列と下列とのタイル列群９，９の、縦方向で互いに対向するタイル２，２同士に、夫々架け渡される。さらに、上列のタイル列群９の上側縁と下列のタイル列群９の下側縁とに、タイル２の裏面側から最外連結片６，６を夫々配する。これにより、上列のタイル列群９を構成する６個のタイル２の各上辺縁と、下列のタイル列群９を構成する６個のタイル２の各下辺縁とに、最外連結片６，６が夫々架け渡される。尚、可撓性連結片５，５と最外連結片６，６とは、タイル２の裏面に塗布した紫外線硬化性接着剤１９を介して配される。
【００４３】
次の接着工程では、図５（ｃ）のように、タイル２の裏面側から紫外線照射盤（図示せず）により紫外線（ＵＶ）を照射し、紫外線硬化性接着剤１９を硬化させる。これにより、タイル２の裏面に、可撓性連結片５，５および最外連結片６，６を接着し、１８個のタイル２を連結する。ここで、可撓性連結片５および最外連結片６は、上述したように、合成樹脂製シート１１の裏面に不織布１２を貼付した積層構造からなり（図３参照）、該不織布１２側をタイル２の裏面に接着するようにしている。そのため、不織布１２が紫外線硬化性接着剤１９を介してタイル２と良好に接着され、各タイル２を可撓性連結片５と最外連結片６とによって安定して連結される。
【００４４】
また、本実施例では、上述した配置工程で、図６のように、所定の芯材に巻回された長尺薄膜状の連結ベース材２５を、所定の長さ寸法と、所定の幅寸法とに分断して、上記した可撓性連結片５，５と最外連結片６，６とを形成し、上述したようにタイル２の紙面に配する。ここで、連結ベース材２５は、幅広のテープ状を成し、その幅寸法が、二つの可撓性連結片５，５と二つの最外連結片６，６とを幅方向で足し合わせた寸法と略等しくなるように設定されている。そして、連結ベース材２５は、その長手方向の寸法が、上記したタイルシート１の横方向寸法よりも著しく長く設定されており、所定の芯材に巻回されている。
【００４５】
この配置工程では、図６（ａ）のように芯材に巻回された連結ベース材２５を引き出し、図６（ｂ）のように、二つの可撓性連結片５，５を形成する部位に、長手方向で所定間隔をおいて、上記した開口部１７を二列で複数開口形成する。そして、引き出した連結ベース材２５を、図６（ｃ）のように、タイルシート１の横方向寸法に合わせて設定した所定の長さ寸法で切断し、さらに、長手方向に沿って分断して二つの可撓性連結片５，５と二つの最外連結片６，６とを形成する。こうして形成した可撓性連結片５，５と最外連結片６，６とを、図６（ｄ）のように、縦横に配列したタイル２の裏面に配置する。
【００４６】
上述した配列工程、配置工程、接着工程を順次行うことによって、上述した本実施例のタイルシート１を容易かつ安定して製造できる。そして、配置工程で、連結ベース材２５から可撓性連結片５，５と最外連結片６，６とを形成する工程を実施し、該形成から配置までの一連の流れをつくっていることから、こうした工程の効率がはかれる。したがって、本実施例の製造工程によれば、上述した複数の不織布を配した構成を製造する場合に比して、製造工程に要する作業性を向上できるから、製造に要するコストを大幅に低減することが可能である。
【００４７】
上述した実施例の別例の構成として、可撓性連結片および最外連結片を、合成樹脂製シートの裏面に紙を貼付した積層構造としたものとすることができる。こうした紙を貼付する構成にあっても、不織布の場合と同様に、例えば、該紙を合成樹脂製シートに熱融着したり、薄膜状に形成した接着剤を介して該紙と合成樹脂製シートとを接着することによって形成できる。さらに別例の構成として、可撓性連結片および最外連結片を、合成樹脂製シートの裏面に、該合成樹脂製シートに比して紫外線硬化性接着剤との接着性が高い易接着性樹脂を薄膜状に形成したものとすることもできる。ここで、易接着性樹脂の形成としては、フィルム状とした易接着性樹脂を熱融着により合成樹脂製シートの裏面に貼付するようにしても良いし、液状の易接着性樹脂を合成樹脂製シートの裏面に塗布するようにしても良い。又は、合成樹脂製シートの裏面にコロナ放電処理を施して、該裏面の接着性を向上させ、該裏面に易接着性樹脂を薄膜状に形成するようにしても良い。この易接着性樹脂としては、例えば、ウレタン樹脂、ポリエステル、ポリアミド（ナイロン）等の合成樹脂が好適に用いられる。尚、前記のコロナ放電処理は、合成樹脂製シートの裏面に不織布や紙を貼付する場合にも適用可能である。こうした別例の構成にあっても、上述した実施例と同様に、紫外線硬化性樹脂との接着性が良いことから、可撓性連結片および最外連結片とを安定かつ容易にタイル２の裏面に接着できる。尚、こうした別例の構成は、図３にあって、可撓性連結片５が、合成樹脂製シート１１の裏面に、不織布１２に代えて前記の紙を貼付したもの、又は該不織布１２に代えて易接着性樹脂を薄膜状に形成したものとなる。すなわち、別例の構成は、図３における不織布１２を、紙１２または易接着性樹脂１２に置き換えたものとして説明できる。
【００４８】
さらにまた、上述した実施例の別例の構成として、可撓性連結片５および最外連結片６を、図７のように、不織布に合成樹脂が含浸された樹脂含浸シート３１からなるものとすることもできる。かかる別例の構成にあっては、不織布が合成樹脂により強化された樹脂含浸シート３１が、タイル２の重量等によって延伸してしまうことを抑制できること及びタイル２の重量を支える十分な強度を有していることから、該樹脂含浸シート３１からなる可撓性連結片５および最外連結片６が、連結された各タイル２の目地間隙４を安定して保ち得る。したがって、こうした樹脂含浸シート３１を用いた別例の構成にあっても、上述した実施例と同様の作用効果を奏し得る。そして、この別例の構成にあっても、上述した実施例の製造工程により製造可能である。
【００４９】
本発明にあっては、上述した実施例に限定されるものではなく、上述の実施例以外の構成についても本発明の趣旨の範囲内で適宜変更して実施可能である。
【符号の説明】
【００５０】
１  タイルシート
２  タイル
４  目地間隙
５  可撓性連結片
６  最外連結片
１１  合成樹脂製シート
１２  不織布
１５  長尺帯部
１６  短尺連成部
１７  開口部
２５  連結ベース材
３１  樹脂含浸シート
【図１】
0006514878.tif 000002
【図２】
0006514878.tif 000003
【図３】
0006514878.tif 000004
【図４】
0006514878.tif 000005
【図５】
0006514878.tif 000006
【図６】
0006514878.tif 000007
【図７】
0006514878.tif 000008